(57)【要約】【課題】  エラストマーに比較的に比重の高い金属粉を混入して成形して得たウエート素材をできるだけシンプルに形成して、この種のウエート付きスポーツ用具の製作を容易にするとともに、コストダウンができるようにすることにある。【解決手段】  エラストマーに比較的に比重の高い金属粉を混入して成形したウエート素材１を、そのまま単一のスポーツ用具として用いるか、あるいは表裏の布１、２の間に綴じ込めて形成したウエート付きスポーツ用具である。【選択図】図１
2005144068.tif 000002
【特許請求の範囲】
【請求項１】
エラストマーに比較的に比重の高い金属粉を混入し成形したウエート素材を、そのまま所望のスポーツ用具として単体で用いられるように形成したことを特徴とするウエート付きスポーツ用具。
【請求項２】
前記ウエート素材を所望のスポーツ用途に応じて形成した前記単体のウエート付きスポーツ用具に、止着具を一体に装備して、この止着具を介して上記ウエート付きスポーツ用具を所望の身体位置に取り付けられるようにしたことを特徴とする請求項１記載のウエート付きスポーツ用具。
【請求項３】
前記ウエート素材は、前記金属粉とともに、磁気を帯びた金属粉を混入したことを特徴とする請求項１記載のウエート付きスポーツ用具。
【請求項４】
前記ウエート素材は、所望の身体位置に取り付けられるように適宜の厚さと形状に形成され、かつ、表裏に布を重ね合わせ、この表裏の布を上記ウエート素材の形状に沿って縫合し、さらに縫合された表裏の布の外周を縁縫いしてリストバンド用またはアンクルバンド用に形成したことを特徴とする請求項１、２および３記載のウエート付きスポーツ用具。
【発明の詳細な説明】
【技術分野】
【０００１】
本発明は、ウエート付きスポーツ用具に関するもので、主として筋肉トレーニング用に用いられ、例えばリストバンドのように手首など身体の所望箇所に取り付けられるようにしたことを特長とするものである。
【背景技術】
【０００２】
例えば、ゴルフ用手袋とかリストバンドなどに複数個のポッケットを設けて、各ポッケットにそれぞれ重り部材を入れて、筋力アップを図るようにしたものが公知である（例えば、特許文献１、２、３参照）。
【０００３】
【特許文献１】特開平９−１０８３９６号公報
【特許文献２】登録実用新案第３０９４２８９号公報
【特許文献３】登録実用新案第３０４８４７９号公報上記公知のウエート付きスポーツ用具は、ゴルフ用手袋とかリストバンドなど具体的に形成された用具本体に、ウエートを収容すべきポッケットを形成しなければならない、ウエート部材は個々のポッケットの形状と大きさに合わせた形状に形成しなければならない、以上のことから従来のウエート付きスポーツ用具は、それぞれの用途に沿って様々な形状のものを用意しなければならないのでコスト高になる欠点がある。
【発明の開示】
【発明が解決しようとする課題】
【０００４】
以上のことから、本発明が解決しようとする課題は、エラストマーに比較的に比重の高い金属粉を混入して成形して得られるウエート素材をできるだけシンプルに形成して、この種のウエート付きスポーツ用具の製作を容易にするとともに、コストダウンができるようにすることにある。
【課題を解決するための手段】
【０００５】
そこで本発明は、上記の課題を解決するために、エラストマーに比較的に比重の高い金属粉を混入して成形したウエート素材を、そのまま単一のスポーツ用具として用いられるようにしたことを特徴とするウエート付きスポーツ用具を提供するもので、上記のようにして得たウエート素材自体を単一形状のスポーツ用具、例えばダンベル代わりに使用できるようにすることによってこの種の用具のコストダウンができる。
【０００６】
請求項２の発明は、請求項１に係るウエート素材を所望のスポーツ用途に応じた大きさに形成して得た単体形状のスポーツ用具に、止着具を一体に装備し、この止着具を介して所望の身体位置に取り付けられるようにしたことを特徴とするもので、本発明に係るスポーツ用具を運動量の多いスポーツ用として使用する場合に安定した使用ができる。
【０００７】
請求項３の発明は、ウエート素材に、比較的に比重の高い金属粉とともに、磁気を帯びた金属粉を混入したことを特徴とするするもので、特に身体に付けるスポーツ用具に適し、身に付けた用具から磁気を発散させることによってトレーニング効果とともに、血流促進等の健康効果を得ようとする場合に好適する。
【０００８】
請求項４の発明は、所望の身体位置に取り付けられるように適宜の厚さと形状に形成したウエート素材の表裏に布を重ね合わせ、重ね合わせた表裏の布を上記ウエート素材の形状に沿って縫合し、さらに縫合された布の外周を縁縫いしてリストバンド用またはアンクルバンド用のスポーツ用具に使用できるようにしたことを特徴とするもので、製作が容易なこと、身体への着脱が容易なことから使用目的に沿った用具が安価に得られる効果がある。
【発明の効果】
【０００９】
本発明に係るウエート付きスポーツ用具は、上述のように、構造が簡単で安価に製作できるので、この種の用具の使用を普遍的に拡大できる効果が大いに期待できる。
【発明を実施するための最良の形態】
【００１０】
エラストマーに比較的に比重の高い金属粉を混入して成形したウエート素材を、使用する目的、用途に沿って単一の形状に形成して、この単体を所望のスポーツのトレーニング用具として使用できるようにする。
【実施例１】
【００１１】
図面に示す実施例は、本発明をリストバンド用に構成した場合のもので、図１は、本発明に係るリストバンドを展開した状態で示す正面図、図２は、同上の裏面図、図３は、使用状態を示す説明図、図４は、図１のＡ−Ａ’断面の拡大模示図である。
【００１２】
図において、１は、ウエート素材、２、３は、ウエート素材１の表裏に重ねた布、４は、ウエート素材１の外形に沿って表裏の布２、３を縫い合わせた縫合線、５は、表裏の布２、３の外周を縫合した縁布、６は、縁布５の縫合線、７は、図３に示す使用状態において親指を通す指ぬき孔、８は、図１に示すように指ぬき孔７側に近づけて表側に貼り付けた一方のベルベットファスナー、９は、図２に示すように裏面の先端側（図示右側）に貼り付けた他方のベルベットファスナーである。
【００１３】
ウエート素材１は、エラストマーに比較的に比重の高い金属粉例えば鉄粉を混入して成形され、実施例の場合、使用者の手首を若干下回るか、ほぼ一周する長さと、手首の運動を妨げない幅と、厚さとを有して５ｍｍ程度の平板に形成されている。
また、ウエート素材１は、その外周を縫合線４で表裏の布２、３の間に綴じ込められることによって、用具内に直接、かつ、一体的に固定されている。
【００１４】
ウエート素材１を綴じ込めた表裏の布２、３には、この実施例の場合、ウレタン地にジャージーを貼り合わせたクッション性に富む厚手の生地が用いられている。また、表裏の布２、３を縫合する縁布は、バイヤステープを用いている。
【００１５】
本発明において、ウエート素材１の成形は、板状、シート状に限らず、金型内で所望の立体形状、例えばダンベルの形状に成形して、使用者がこの単一体に形成された用具を直接手に持ってウエート付きスポーツ用具とする場合もある。また、混入する材料には、鉄粉、鉛粉、チタン粉などのほか磁性を帯びた金属粉を使用する。特に、磁性を帯びた金属粉を混入したものは、本発明に係る用具を身に付けた場合の磁気の発散により通常の磁気健康器具と同様の効果を本来の筋肉トレーニングの上に付加することができる。
【００１６】
前記のように構成した実施例は、図３に示すように、親指を指ぬき孔７に通し、手首の後側に回した先端側を表側のベルベットファスナー８に重ねて裏側のベルベットファスナー９を上記ベルベットファスナー８と噛み合わせることにより手首への装着が終わる。この装着によって体重にウエート素材１の重さが加算されるので、筋力トレーニングの効果が増す。
【産業上の利用可能性】
【００１７】
図示した実施例は、リストバンドに本発明を適用したものであるが、本発明は、前述のようにバーベルのように直接把持して筋力トレーニングを行なうようにしたり、足枷、手枷のようにリング状に成形したり、また、ベスト様とか腹巻き様に胴衣に成形して着用することもできる。さらに部分的に身体に沿う形状に形成したウエート素材に、ベルトとか紐とかの止着具を適宜に一体に取り付けて着用のスポーツ用具とすることによって、運動量の多いスポーツ用具とすれば、安定した着用ができる。
【００１８】
さらに、実施例と同様に、適宜の大きさのウエート素材を表裏の布の間に綴じ込めてアンクルバンド用具を形成したり、また、着用する形態としては、膝用、肘用等の用具とする場合もある。
【図面の簡単な説明】
【００１９】
【図１】本発明に係るリストバンドを展開した状態で示す一部切欠正面図である。
【図２】同上の一部切欠裏面図である。
【図３】使用状態を示す一部切欠説明図である。
【図４】図１のＡ−Ａ’断面の拡大模示図である。
【符号の説明】
【００２０】
１  ウエート素材
２  表布
３  裏布
４  表裏の布の縫合線
５  縁布
６  縁の縫合線
７  指ぬき孔
８  一方のベルベットファスナー
９  他方のベルベットファスナー
【図１】
2005144068.tif 000003
【図２】
2005144068.tif 000004
【図３】
2005144068.tif 000005
【図４】
2005144068.tif 000006